(57)【要約】【課題】各種入力装置に用いられるタッチパネルに関し、容易にセパレータ層を剥がしうるものを提供することを目的とする。【解決手段】タッチパネル３０は、本体部３０Ａと把持部３０Ｂと切り込み部３０Ｃを有し、本体部３０Ａと把持部３０Ｂは上基板層２１と下基板層２２においては切り込み部３０Ｃにより切断され、セパレータ層２５で接続するよう構成している。これにより、作業者が把持部３０Ｂを把持し本体部３０Ａ側に引っ張る事で容易にセパレータ層２５を剥がしうるタッチパネル３０を実現できる。【選択図】図２
2013218519.tif 000002
【特許請求の範囲】
【請求項１】
表示装置の表示面側に配置される本体部と、前記本体部と少なくとも一部が接続した把持部と、前記本体部と前記把持部の間に設けられた切り込み部とを備え、前記本体部と前記把持部はセパレータ層と、複数の上電極が配列された上基板層と、前記上電極と直交方向に複数の下電極が配列された下基板層を含む複数の層が積層されて構成されるもので、前記本体部と前記把持部は、前記上基板層と前記下基板層では前記切り込み部で切断され、前記セパレータ層で接続するタッチパネル。
【請求項２】
前記上基板層及び前記下基板層は前記本体部側に外部に接続する外部端子を備え、前記外部端子から前記本体部の端面に最も近い位置を外して前記把持部が設けられた請求項１記載のタッチパネル。
【請求項３】
前記本体部は方形で、前記外部端子は短辺に沿って設けられ、前記把持部は前記短辺から突出して設けられた請求項２記載のタッチパネル。
【発明の詳細な説明】
【技術分野】
【０００１】
本発明は、主に各種入力装置の操作に用いられるタッチパネルに関するものである。
【背景技術】
【０００２】
近年、携帯電話やカーナビ等の各種入力装置では、液晶表示素子等の表示装置の表示面に光透過性で静電式のタッチパネルを装着して、入力装置の様々な機能の切換えを行うものが増えている。
【０００３】
このような従来のタッチパネルについて、図６及び図７を用いて説明する。
【０００４】
なお、構成を判り易くするために、図面は厚さ方向の寸法を拡大して表している。
【０００５】
図６は従来のタッチパネルの断面図であり、同図において、タッチパネル１０は、上基板層１と下基板層２とカバー層３と粘着層４とセパレータ層５を備える。
【０００６】
上基板層１は光透過性のフィルムで、上基板層１の上面には酸化インジウム錫等の光透過性で略帯状の複数の上電極６が配置されている。
【０００７】
また、下基板層２は、光透過性のフィルムで、下基板層２の上面には酸化インジウム錫等の光透過性で略帯状の複数の下電極７が上電極６に対し、上面視で直交する方向に配置されている。
【０００８】
そして、カバー層３は光透過性のフィルムである。下基板層２の上面に上基板層１が、上基板層１の上面にカバー層３が各々配置され、接着剤（図示せず）等によって、これらが貼り合わされている。
【０００９】
さらに、粘着層４はアクリル系等の粘着材料からなる層である。粘着層４はカバー層３上面に形成され、粘着層４の上面に、セパレータ層５が貼付されている。
【００１０】
また、図７は従来の入力装置２０の断面図であり、同図において、筐体１１は絶縁樹脂製で、この筐体１１上面の開口部には透明な絶縁樹脂製の透明板１２が固定されている。そして、タッチパネル１０は、セパレータ層５を剥がした後、透明板１２下面に粘着層４によって貼付されている。
【００１１】
また、表示装置１３は液晶ディスプレイ等の表示可能な装置である。この表示装置１３がタッチパネル１０下面に配置されると共に、タッチパネル１０の複数の上電極６と下電極７や、表示装置１３がコネクタやリード線（図示せず）等を介して、機器の電子回路（図示せず）に接続されて、入力装置２０が構成される。
【００１２】
以上の構成において、電子回路から複数の上電極６と下電極７へ順次電流が供給され上電極６と下電極７の間で電界が発生する。その状態で、操作者がタッチパネル１０背面の表示装置１３の表示に応じて、透明板１２上面を指や専用ペン等で触れて操作すると、操作した箇所の上電極６と下電極７の間の静電容量が変化する。これにより操作された箇所を電子回路が検出して、機器の様々な機能の切換えが行われる。
【００１３】
つまり、例えば複数のメニューが表示装置１３に表示された状態で、所定のメニュー上の透明板１２上面に触れると、この操作した箇所の上電極６と下電極７の間の静電容量が変化し、これを電子回路が検出することによって、メニューの選択等が行われる。
【００１４】
なお、この出願の発明に関連する先行技術文献情報としては、例えば、特許文献１が知られている。
【先行技術文献】
【特許文献】
【００１５】
【特許文献１】特開２００９−９３３９７号公報
【発明の概要】
【発明が解決しようとする課題】
【００１６】
しかしながら、上記従来のタッチパネルにおいては、セパレータ層を剥がしてタッチパネルを貼付する際に、セパレータ層だけを剥がすのに手間がかかり、入力装置の生産効率が低下するという課題があった。
【００１７】
本発明は、このような従来の課題を解決するものであり、セパレータ層を容易に剥がすことが可能なタッチパネルを提供することを目的とする。
【課題を解決するための手段】
【００１８】
上記目的を達成するために本発明は、タッチパネルが本体部と把持部と切り込み部を有し、本体部と把持部は上基板層と下基板層においては切り込み部により切断され、セパレータ層で接続するよう構成する。
【発明の効果】
【００１９】
以上のように本発明によれば、タッチパネルが本体部と把持部と切り込み部を有し、本体部と把持部は上基板層と下基板層においては切り込み部により切断され、セパレータ層で接続するよう構成しているので、作業者が把持部を把持し本体部側に引っ張る事で容易にセパレータ層を剥がしうるタッチパネルを実現できる。
【図面の簡単な説明】
【００２０】
【図１】本発明の一実施の形態によるタッチパネルの斜視図
【図２】同断面図
【図３】同分解斜視図
【図４】同製造方法を示す分解斜視図
【図５】同入力装置に対する配置を示す断面図
【図６】従来のタッチパネルの断面図
【図７】従来のタッチパネルの入力装置に対する配置を示す断面図
【発明を実施するための形態】
【００２１】
以下、本発明の実施の形態について、図１から図５を用いて説明する。
【００２２】
なお、これらの図面は構成を判り易くするために、部分的に寸法を拡大して表している。
【００２３】
また、背景技術の項で説明した構成と同一構成の部分には同一符号を付して、詳細な説明を簡略化する。
【００２４】
（実施の形態）
図１は本発明の一実施の形態によるタッチパネル３０を下方から見た斜視図、図２は図１のＡ−Ａ断面による断面図、図３は同分解斜視図である。
【００２５】
同図において、タッチパネル３０は、略方形の本体部３０Ａと、本体部３０Ａから突出した把持部３０Ｂと、本体部３０Ａと把持部３０Ｂの間の切り込み部３０Ｃを備えて構成される。
【００２６】
そして、本体部３０Ａと把持部３０Ｂは、同様の順序で積層された複数の層を備える。ここで、本体部３０Ａと把持部３０Ｂは共に、上基板層２１と、下基板層２２と、シールド基板層２３と、カバー層２４と、セパレータ層２５と、複数の粘着層２６を備える。
【００２７】
上基板層２１は光透過性のフィルムで、上基板層２１の下面には光透過性で略帯状の複数の上電極３１がスパッタ法等で配置されている。
【００２８】
また、下基板層２２は光透過性のフィルムで、下基板層２２の下面には光透過性で略帯状の複数の下電極３２が上電極３１に対し、上面視で直交する方向にスパッタ法等で配置されている。
【００２９】
さらに、上基板層２１及び下基板層２２は本体部３０Ａ側に外部に接続する外部端子３３を備える。外部端子３３は、上電極３１或いは下電極３２に接続し、上電極３１或いは下電極３２が電界を放射する為の電流を供給する。ここで、外部端子３３から本体部３０Ａの端面に最も近い位置を外して把持部３０Ｂが設けられる。
【００３０】
なお、上基板層２１、下基板層２２の材料はポリエチレンテレフタレートやポリエーテルサルホン、ポリカーボネート等が適しており、上電極３１、下電極３２の材料は酸化インジウム錫や酸化錫等が適している。
【００３１】
シールド基板層２３は上面を覆って導電性の透明電極（図示せず）が配置され、透明電極は下基板層２２と接続している。このシールド基板層２３は、タッチパネル３０の下方に配置される表示装置（図示せず）の放射する電磁波による影響を抑制させる。なお、シールド基板層２３はポリエチレンテレフタレートやポリエーテルサルホン、ポリカーボネート等の樹脂材料でフィルムを構成し、スパッタ法等で透明電極を配置する。
【００３２】
カバー層２４は、樹脂材料のフィルムの下面をハードコートして構成される。また、セパレータ層２５も樹脂材料のフィルムである。このカバー層２４、セパレータ層２５の材料はポリエチレンテレフタレートやポリエーテルサルホン、ポリカーボネート等が適している。
【００３３】
粘着層２６は、アクリル系やシリコーン系等の接着材を材料とする。粘着層２６は、セパレータ層２５、上基板層２１、下基板層２２、シールド基板層２３、カバー層２４の、それぞれの間となる四層で配置される。
【００３４】
そして、切り込み部３０Ｃは、カバー層２４側からセパレータ層２５へ向かって設けられ、上基板層２１、下基板層２２、シールド基板層２３、カバー層２４を本体部３０Ａと把持部３０Ｂの間で切断する。なお、本体部３０Ａと把持部３０Ｂは、セパレータ層２５で接続される。
【００３５】
このようなタッチパネル３０の製造方法について、図４を用いて説明する。図４は、タッチパネル３０の製造方法を示す分解斜視図である。
【００３６】
まず、タッチパネル３０を構成するセパレータ層２５、上基板層２１、下基板層２２、シールド基板層２３、カバー層２４、粘着層２６が形成された方形のシートを作製する。
【００３７】
次に、セパレータ層２５、上基板層２１、下基板層２２、シールド基板層２３、カバー層２４が形成されたシートの間に、粘着層２６が形成された複数のシートをそれぞれ挟みこむ。
【００３８】
次に、各シートを一体にするため、紫外線照射等で固定する。
【００３９】
次に、一体化されたシートに対し、トムソン型などを用い、打ち抜き加工して、タッチパネル３０を製造する。この際、本体部３０Ａと把持部３０Ｂの間は、完全に打ち抜き加工せずハーフカットを行い、本体部３０Ａと把持部３０Ｂはセパレータ層２５で接続する。
【００４０】
なお、上述のように、外部端子３３から本体部３０Ａの端面に最も近い位置を外して把持部３０Ｂが設けられる。これにより、ハーフカットで切り込み部３０Ｃを形成する際に外部端子３３にかかる応力を低減できるので、タッチパネル３０の安定した製造に適する。
【００４１】
図５は、セパレータ層２５が剥離されたタッチパネル３０を配置する入力装置４０の断面図である。同図において、筐体１１は絶縁樹脂製で、この筐体１１上面の開口部には透明な絶縁樹脂製の透明板１２が固定されている。そして、タッチパネル３０は、セパレータ層２５を剥がした後、透明板１２下面に粘着層２６によって貼付されている。
【００４２】
つまり、作業者は、把持部３０Ｂを把持し本体部３０Ａ側に引っ張る事で容易にセパレータ層２５を剥がしうる。
【００４３】
また、表示装置１３は液晶ディスプレイ等の表示可能な装置である。この表示装置１３の表示面側にタッチパネル３０が位置するよう、表示装置１３が配置される。そして、タッチパネル３０の複数の上電極３１と下電極３２や、表示装置１３がコネクタやリード線（図示せず）等を介して、入力装置４０の電子回路（図示せず）に接続される。
【００４４】
なお、本体部３０Ａは方形で、外部端子３３は短辺３４に沿って設けられ、把持部３０Ｂは外部端子３３が近傍に配置された短辺３４から突出して設けられる。これにより、入力装置４０を製造する際に、作業者が持ちやすく、かつ外部端子３３をより視認しやすい状態でセパレータ層２５を剥がしうるので、より入力装置４０の生産効率が向上する。
【００４５】
以上の構成において、電子回路から複数の上電極３１と下電極３２へ順次電流が供給され、上電極３１と下電極３２の間で電界が発生する。その状態で、操作者がタッチパネル３０背面の表示装置１３の表示に応じて、透明板１２上面を指や専用ペン等で触れて操作すると、操作した箇所の上電極３１と下電極３２の間の静電容量が変化する。これにより操作された箇所を電子回路が検出して、入力装置４０の様々な機能の切換えが行われる。
【００４６】
つまり、例えば複数のメニューが表示装置１３に表示された状態で、所定のメニュー上の透明板１２上面に触れると、この操作した箇所の上電極３１と下電極３２の間の静電容量が変化し、これを電子回路が検出することによって、メニューの選択等が行われるように構成されている。
【００４７】
なお、シールド基板層２３、カバー層２４を有しない場合でも、本発明の実施は可能である。
【００４８】
このように本実施の形態によれば、タッチパネル３０は、本体部３０Ａと把持部３０Ｂと切り込み部３０Ｃを有し、本体部３０Ａと把持部３０Ｂは上基板層２１と下基板層２２においては切り込み部３０Ｃにより切断され、セパレータ層２５で接続するよう構成している。
【００４９】
これにより、作業者が把持部３０Ｂを把持し本体部３０Ａ側に引っ張る事で容易にセパレータ層２５を剥がしうるタッチパネル３０を実現できる。
【００５０】
また、上基板層２１及び下基板層２２は本体部３０Ａ側に外部に接続する外部端子３３を備え、外部端子３３から本体部３０Ａの端面に最も近い位置を外して把持部３０Ｂが設けられる。これにより、切り込み部３０Ｃを形成する際に外部端子３３にかかる応力を低減でき、タッチパネル３０を安定して製造しうる。
【００５１】
本体部３０Ａは方形で、外部端子３３は短辺３４に沿って設けられ、把持部３０Ｂは短辺３４から突出して設けられる。これにより、入力装置４０を製造する際に、作業者が持ちやすく、かつ外部端子３３をより視認しやすい状態でセパレータ層２５を剥がしうるので、より入力装置４０の生産効率が向上する。
【産業上の利用可能性】
【００５２】
本発明によるタッチパネルは、容易にセパレータ層を剥がしうるという有利な効果を有し、主に各種入力装置の製造用として有用である。
【符号の説明】
【００５３】
１１  筐体
１２  透明板
１３  表示装置
２１  上基板層
２２  下基板層
２３  シールド基板層
２４  カバー層
２５  セパレータ層
２６  粘着層
３０  タッチパネル
３０Ａ  本体部
３０Ｂ  把持部
３０Ｃ  切り込み部
３１  上電極
３２  下電極
３３  外部端子
３４  短辺
４０  入力装置
【図１】
2013218519.tif 000003
【図２】
2013218519.tif 000004
【図３】
2013218519.tif 000005
【図４】
2013218519.tif 000006
【図５】
2013218519.tif 000007
【図６】
2013218519.tif 000008
【図７】
2013218519.tif 000009